(57)【特許請求の範囲】
【請求項１】
筐体に対し回動動作可能に組み付けられるパネルの動作機構であって、
筐体にスライド動作可能に組み付けられ、前記パネルが回動動作可能に軸支されるスライド部材と、
前記パネルの回動動作に連動して前記スライド部材をスライド動作させる連動機構とを備え、
前記連動機構は、前記パネルの内部に前記パネルに一体的に設けた第１ギア部材と、
前記スライド部材に回転可能に設けられて前記第１ギア部材に噛み合う第２ギア部材と、
前記筐体に一体的に設けられ、前記第２ギア部材に噛み合うラック部材と、からなり、
前記パネルは、前記筐体の前面に形成された開口部を開閉する蓋部材であり、
前記ラック部材が前記スライド方向に沿って前記筐体から前方に突出して形成されており、
前記パネルによる前記開口部の閉動作時に、前記ラック部材の前端部が前記スライド方向について前記第１ギア部材の回動軸と同じ位置まで及び、前記パネルの内部に収容されることを特徴とするパネルの動作機構。
【請求項２】
請求項１に記載のパネルの動作機構において、
前記第１ギア部材は扇形ギアであることを特徴とするパネルの動作機構。
【発明の詳細な説明】
【０００１】
【発明の属する技術分野】
本発明は、例えば、オーディオ機器における記録媒体挿入口の蓋部材として設けられるパネルの動作機構に関する。
【０００２】
【従来の技術】
例えば、オーディオ機器における記録媒体挿入口等に蓋部材として設けられるパネルには、筐体に軸支されて回動するものがある。前記のようなパネルの動作機構としては、一般に図７（ａ）〜図７（ｃ）に示す形態が知られている。
【０００３】
図７（ａ）に示すパネルの動作機構１１０は、筐体１３０に備えられた軸１１２が外部に露出してしまい、外観が良くない。
図７（ｂ）に示すパネルの動作機構２１０は、軸２１２が外部に露出しないものの、軸２１２とパネル２２０とは円弧状に形成されたアーム部材２１１によって連結されている。したがって、パネル２２０を回動させる際には、前記アーム部材２１２を動作させるスペースを大きく確保する必要があり、スペースの制約を要求されるカーオーディオ等においては適用が困難である。
【０００４】
これに対して、図７（ｃ）に示すパネルの動作機構３１０は、筐体３３０に備えられた軸３１２が外部に露出せず、図７（ｂ）に示すようなアーム部材２１１もないため、外観が良くなり、スペースの制約にも対応できる。
【０００５】
【発明が解決しようとする課題】
ところが、図７（ｃ）の形態においては、パネル３２０の厚みによっては、パネル３２０の筐体側角部と筐体３３０とのクリアランスを十分に確保しないと、パネル３２０と筐体３３０とが干渉してしまう。
また、デザイン上から、図８（ａ）に示すような形状のパネルを採用することが考えられる。図８（ａ）において、パネル４２０は、軸支部側の下辺部４２１、この下辺部４２１より長くて平行する上辺部４２２、を備える略等脚台形状をなす。筐体４３０には、パネル４２０の正面部４２４と略面一となる表面部４３２、パネル４２０の側面部４２５に略接するように近接する近接面部４３３、が形成される。この場合において、図７（ｃ）と同形態のパネルの動作機構を用いてパネル４２０を回動させようとすると、パネル４２０の斜辺部４２３が筐体４３０に干渉し、パネル４３０の回動ができない。
【０００６】
本発明の課題は、軸が外部に露出せず、パネルを筐体に干渉させることなく回動させることを可能とするパネルの動作機構を提供することである。
【０００７】
【課題を解決するための手段】
請求項１記載の発明は、
筐体に対し回動動作可能に組み付けられるパネルの動作機構であって、
筐体にスライド動作可能に組み付けられ、前記パネルが回動動作可能に軸支されるスライド部材と、
前記パネルの回動動作に連動して前記スライド部材をスライド動作させる連動機構とを備え、
前記連動機構は、前記パネルの内部に前記パネルに一体的に設けた第１ギア部材と、
前記スライド部材に回転可能に設けられて前記第１ギア部材に噛み合う第２ギア部材と、
前記筐体に一体的に設けられ、前記第２ギア部材に噛み合うラック部材と、からなり、
前記パネルは、前記筐体の前面に形成された開口部を開閉する蓋部材であり、
前記ラック部材が前記スライド方向に沿って前記筐体から前方に突出して形成されており、
前記パネルによる前記開口部の閉動作時に、前記ラック部材の前端部が前記スライド方向について前記第１ギア部材の回動軸と同じ位置まで及び、前記パネルの内部に収容されることを特徴としている。
【０００８】
請求項２記載の発明は、請求項１記載のパネルの動作機構において、
前記第１ギア部材は扇形ギアであることを特徴としている。
【００１２】
【発明の実施の形態】
以下、図１〜図６を参照して、本発明に係るパネルの動作機構の実施の形態について詳細に説明する。
【００１３】
図１〜図５に示すように、本発明に係るパネルの動作機構１０は、例えば、カーオーディオの筐体３０に形成される記録媒体挿入孔３１（開口部）を開閉する蓋部材として設けられるパネル２０の動作機構として用いられる。
【００１４】
パネル２０は、軸支部側の下辺部２１、この下辺部２１より長くて平行する上辺部２２、を備える略等脚台形状をなし、正面部２４、この正面部２４に略直交して隣り合う側面部２５、を備える。正面部２４の下方には、テーパ部２６が形成され、後述する筐体３０に形成されるテーパ部３４と合わせて、パネル２０の回動動作時にパネル２０と筐体３０とが干渉しないようになっている。
パネル２０の内部には、扇形ギア１４（第１ギア部材）が一体的に取り付けられている。
パネル２０の両端部には、後述する、筐体３０のガイド部３５を回避してパネル２０を閉じることを可能とする凹部２７が形成されている。
【００１５】
筐体３０には、記録媒体挿入孔３１が形成されているとともに、パネル２０によって記録媒体挿入孔３１を閉じた状態において、パネル２０の正面部２４と略面一となる正面部３２と、パネル２０の側面部２５に略接するように近接する近接面部３３と、が形成されている。
また、パネル２０の下方となる位置にはテーパ部３４が形成され、パネル２０の回動動作時にパネル２０と筐体３０とが干渉しないようになっている。
筐体３０の左右となる位置２ヶ所には、前方に突出するように、後述するスライド部材１１を案内するガイド部３５が形成されている。このガイド部３５の下方にはガイド孔３６が形成されており、このガイド孔３６に沿うように、スライド部材１１は筐体３０に対して前方にスライド動作可能である。さらにガイド部３２には、後述するピニオンギア１５が噛合するラック３７が形成されている。
【００１６】
スライド部材１１は、筐体３０に形成されたガイド孔３６にそれぞれ挿入されており、それぞれのスライド部材１１の前部には軸１２、軸１２より後方に補助軸１３が取り付けられている。
【００１７】
軸１２には、パネル２０に一体的に取り付けられる扇形ギア１４（第１ギア部材）が取り付いている。
【００１８】
補助軸１３にはピニオンギア１５（第２ギア部材）が取り付けられており、このピニオンギア１５は、扇形ギア１４と筐体３０に形成されたラック３７とに同時に噛合する。
ピニオンギア１５は、筐体３０内部に備えられている図示しないギア列およびモータが配された駆動部によって回動する。なお、駆動部によってピニオンギア１５を直接回動させるのではなく、スライド部材１１を前後動作させてもよい。
【００１９】
次に、以上のように構成されるパネルの動作機構１０によって開閉するパネル２０の動作について説明する。
【００２０】
パネル２０が記録媒体挿入孔３１を閉じた状態から開く場合の動作について説明する。パネル２０は、図２、図５（ａ）に示すように略垂直となっている。この状態においては、軸１２は筐体３０内部に収容された第１位置ａに位置する。この状態において、図示しない駆動部を駆動させ、ピニオンギア１５を図１において右回りに回動させる。ピニオンギア１５は補助軸１３を中心に右回りに回動し、これにより、ピニオンギア１５に噛合する扇形ギア１４が左回りに回動し、ピニオンギア１５がラック３７に噛合しながら左方向に移動、すなわち、スライド部材１１が左方向にスライドする。したがって、軸１２が左方向にスライドし始めるとともに、この軸１２を中心にパネル２０が開き始める。
【００２１】
図３、図５（ｂ）に示すように、パネル２０は、開角度が大きくなるにつれ、左方向、すなわち、筐体３０に対して前方にスライドする。そして、扇形ギア１４とピニオンギア１５との噛合部が、扇形ギア１４の端部に達した時点でピニオンギア１５の回転が止まり、この時点でパネル２０は、図４、図５（ｃ）に示すように、略水平に完全に開かれた状態となる。この状態においては、軸１２は筐体３０に対して前方となる第２位置ｂに位置する。
【００２２】
以上により、略垂直に閉じた状態のパネル２０が、パネル２０自体が筐体に対して前方にスライドしながら開き、略水平に完全に開いた状態となる。
【００２３】
この際、パネル２０が筐体３０に対して前方に突出しながら開かれるので、パネル２０を開く途中において、パネル２０の斜辺部２３が、筐体３０の表面部３２と近接面部３３とによって形成される角部に干渉することがなく、また、パネル２０の筐体側下端が筐体３０に干渉することもない。
【００２４】
なお、記録媒体挿入孔３１を開いた状態からパネル２０を閉じる場合の動作は、パネル２０を開く場合の逆となる。すなわち、略水平に完全に開いた状態のパネル２０は、パネル２０自体が筐体３０の方向にスライドしながら閉じ、閉じた状態においてはパネル２０は略垂直となる。
【００２５】
本実施の形態におけるパネルの動作機構１０によれば、パネル２０が回動する軸１２が、パネル２０が閉じた状態における筐体３０に収容された第１位置ａと、パネル２０が完全に開いた状態における筐体３０に対して前方となる第２位置ｂと、の間をパネル２０の開閉に連動して漸次スライドする。すなわち、パネル２０が開くと同時に、筐体３０に収容された軸１２が筐体３０の前方に移動し始める。したがって、パネル２０が、前記したように略等脚台形状に形成されている場合においても、パネル２０の回動の途中において、パネル２０の斜辺部２３が、筐体３０の表面部３２と近接面部３３とによって形成される角部に干渉し、回動不能となることがない。
また、パネル２０の厚みによってパネル２０の筐体側下端が筐体３０に干渉することもない。
【００２６】
なお、パネル２０を開いた状態においては、扇形ギア１４やピニオンギア１５が露出しているが、これらを隠すためにカバーを設けてもよい。これにより、ピニオンギア１５等へのゴミ等の付着を防止できるとともに美観も保たれる。
【００２７】
また、本実施の形態に係るパネルの動作機構１０によれば、パネル２０が閉じることにより記録媒体挿入孔３１が塞がれるので、外部からほこり等が侵入しない。
【００２８】
また、本実施の形態に係るパネルの動作機構１０によれば、軸１２が外部に露出しないので外観が良くなる。
【００２９】
また、本実施の形態に係るパネルの動作機構１０によれば、図７（ｂ）に示すようなアーム部材２１１を用いる必要がないため、スペースの制約に対応する。
【００３０】
また、本実施の形態に係るパネルの動作機構１０によれば、パネル２０を略等脚台形状に形成することができる。
【００３１】
本実施の形態は、一例であり適宜設計変更が可能である。
【００３２】
本実施の形態においては、駆動部でピニオンギア１５を回動させてパネル２０の開閉を行っているが、例えば、パネル２０に直接手で触れて開閉させてもよい。
【００３３】
また、本実施の形態では、パネルの動作機構１０をカーオーディオに適用した例を挙げたが、例えば、一般のオーディオ機器、小型或いは携帯テレビ、カーナビゲーション装置、その他各種計測装置や家電製品にも適用可能である。
【００３４】
また、例えば図６（ａ）、図６（ｂ）に示すように、パネルの動作機構５０を構成してもよい。図６において、パネル６０は筐体７０に、第１連結部材５１、第２連結部材５２、によって連結されている。第１連結部材５１と第２連結部材５２とは、それぞれ後端部側が、第１軸５３において筐体７０に軸支されている。また、第１連結部材５１と第２連結部材５２とは、それぞれ前端部側が、第２軸５４と第３軸５５とによって筐体６０に軸支されている。さらに、第１軸５３と第２軸５４とには、それぞれ図示しないピニオンギアが取り付けられており、これらのピニオンギアはそれぞれ、筐体に形成されたラック７１と、パネル６０に形成されたラック６１とに噛合しながら回動する。
【００３５】
前記のようなパネルの動作機構５０によって、図示しない記録媒体挿入孔を閉じた状態のパネル６０を開く場合の動作について説明する。パネル６０は、図６（ａ）に示すように略垂直となっている。この状態において、図示しない駆動部を駆動させ、第１軸５３に取り付けられたピニオンギアを図６（ａ）において左回りに回動させるとともに、第２軸に取り付けられたピニオンギアを図６（ａ）において左回りに回動させる。これにより、第１連結部材５１と第２連結部材５２とが、筐体７０に対して右方向に移動するとともに、第２連結部材５２が、第１軸５３を中心に下方に回動する。これにより、パネル６０が、右方向に移動しながら第３軸５５を中心に開く。
【００３６】
この場合においても、パネル６０が開くと同時に、第３軸５５が筐体７０に対して前方に移動し始める。したがって、この場合においても、パネル６０の回動の途中において、パネル６０と筐体７０とが干渉して回動不能となることがない。
【００３７】
【発明の効果】
本発明によれば、前記スライド部材をスライド動作させながら、前記パネルを回動動作させることにより、パネルと前記筐体との干渉が回避され、パネルの回動が安定的に行われる。また、パネルの軸支部が閉状態で外部に露出しないため外観も良くなる。
【図面の簡単な説明】
【図１】本発明の実施の形態におけるパネルの動作機構において、筐体に取り付けられたパネルを示す、（ａ）は正面図、（ｂ）は断面図、（ｃ）はパネルが回動している過程を示す斜視図である。
【図２】同、パネルが記録媒体挿入孔を閉じた状態を示す断面図である。
【図３】同、パネルが開いている途中の状態を示す断面図である。
【図４】同、パネルが完全に開いた状態を示す断面図である。
【図５】同、（ａ）はパネルが閉じた状態を示す斜視図、（ｂ）はパネルが開いている途中の状態を示す斜視図、（ｃ）はパネルが完全に開いた状態を示す斜視図である。
【図６】本発明に係るパネルの動作機構の、図１〜図５とは別の実施の形態例において、（ａ）はパネルが記録媒体挿入孔を閉じた状態を示す側面図、（ｂ）はパネルが完全に開いた状態を示す側面図である。
【図７】（ａ）〜（ｃ）ともに、従来のパネルの動作機構を示す図である。
【図８】従来のパネルの動作機構において、筐体に取り付けられたパネルを示す、（ａ）は正面図、（ｂ）は断面図、（ｃ）は、パネルの回動過程において、筐体と干渉して回動不能となっている状態を示す斜視図である。
【符号の説明】
１０      パネルの動作機構
１１    スライド部材
１２    軸
１３    補助軸
１４    扇形ギア（第１ギア部材）
１５    ピニオンギア（第２ギア部材）
２０      パネル
２１    下辺部
２２    上辺部
３０      筐体
３１    記録媒体挿入孔（開口部）
３７    ラック
【図１】
0003925220.tif 000002
【図２】
0003925220.tif 000003
【図３】
0003925220.tif 000004
【図４】
0003925220.tif 000005
【図５】
0003925220.tif 000006
【図６】
0003925220.tif 000007
【図７】
0003925220.tif 000008
【図８】
0003925220.tif 000009